(57)【要約】【課題】剥離する際に破断して所望の貼り替え防止機能は有し、しかも、容易にすべてをきれいに剥がすことができるラベルであって、安価に製造できるラベルを提供する。【解決手段】紙を主体としてこれに樹脂フィルムを積層した積層材料から構成され、裏面の左右の両端部に、この端部に沿った帯状の感熱ニス層２６を有するとともに、これら両端部の感熱ニス層の間の中央部は非貼着部２７とされており、かつ、前記両端部のうち少なくとも一方の端部から非貼着部方向に向けて設けられた切込み２ａを有する。ラベル２を剥離する場合には、切込み２ａから破断され元のとおりに再貼着することが不可能となる。また、破断が非貼着部２７まで進むと浮き上がるようになり、そこをきっかけとして剥離することによってラベル２全体を容易かつきれいに剥がせる。【選択図】図２
2011027967.tif 000002
【特許請求の範囲】
【請求項１】
印刷を施されたラベル基材から構成され、容器に貼り付けて使用するラベルであって、
ラベル基材の裏面の左右の両端部に、この端部に沿った帯状の感熱ニス層を有するとともに、これら両端部の感熱ニス層の間の中央部は非貼着部とされており、
前記両端部のうち少なくとも一方の端部から非貼着部方向に向けて設けられた切込みを有することを特徴とするラベル。
【請求項２】
前記ラベル基材が紙を主体としてこれに樹脂フィルムを積層した積層材料から構成されており、前記切込みが樹脂フィルムを貫通する切込みであることを特徴とする請求項１に記載のラベル。
【請求項３】
前記切込みが非貼着部まで伸びていることを特徴とする請求項１又は２に記載のラベル。
【請求項４】
前記切込みを複数本有することを特徴とする請求項１〜３のいずれかに記載のラベル。
【発明の詳細な説明】
【技術分野】
【０００１】
本発明は、貼り替えをしようとしたときには簡単に破れてしまい、元通りの状態で再度貼り付けることが不可能で、しかも、不要となった時には簡単にきれいに剥離できるようにしたラベルに関する。
【背景技術】
【０００２】
ドレッシングやジュース等が充填されているガラス製容器においては、充填物を使い切った後に容器本体とその一部に貼り付けられているラベルを分離し、容器本体は再利用に供されるようにするため、そこに貼られているラベルを容易に剥がれる構成のものにしたり、容器本体に剥離の痕跡が残らないような糊（感熱ニス）を使用してラベルを貼りつけるようにしている。
【０００３】
このようなラベル付き容器においては、ラベルを傷つけることなく容易に剥がせ、再度貼り付けることができてしまうため、商品にいたずらをしてから再度貼り付けされたとしてもその痕跡が残らず、不正な貼り替えがなされたことが分からなかった。
【０００４】
そのような状況の下、不正な貼り替えができないようにしたラベルが種々提案されている。
【０００５】
例えば、ラベルの一部が抜き取り可能となるように切取線等を形成し、一旦商品に貼り付けたものを剥がそうとすると、切取線で囲まれる部分のみが商品側に貼り残されるようにし、不正な貼り替えを防止するようにしたラベルがある（例えば、特許文献１参照。）。
【０００６】
しかし、このようなタイプのラベルは不正な貼り替えに対しては所定の効果が期待できるが、一旦容器本体等に貼られたものを簡単に、且つきれいに剥がせることが難しく、容器本体の再利用に際して行う必要があるラベルの剥離作業に多大な手間を要していた。そこで最近は、不正な貼り替えが行われないようにするだけでなく、剥離しようとしたときには痕跡を残さないで容易に剥離することができるタイプのラベルの開発が強く望まれるようになってきており、種々の提案がなされている。
【０００７】
例えば特許文献２のラベルは、図５（ａ）に示すように、シール基材Ａの外周縁に渡って複数形成された破断線Ｂと、シール基材の裏面の中央近傍位置に所定の幅で形成された非粘着部Ｃと、この非粘着部Ｃを囲むように形成した粘着部Ｄを有している。そして、このラベルを剥離しようとすると、前記破断線Ｂから破断されてその一部Ａ１が剥離されずに残存するから、不正な貼り替えは困難であった。そして、容器本体の再利用に際してラベルを剥離する際には、図５（ｂ）に示すように、中央近傍位置の非粘着部Ｃを手がかりとして残存するラベルＡ１を外周縁方向（図示ｘ方向）に引き剥がすことができる。
【先行技術文献】
【特許文献】
【０００８】
【特許文献１】特開２００１−３０５９６４号公報
【特許文献２】特開２００４−２０５９５４号公報
【発明の概要】
【発明が解決しようとする課題】
【０００９】
しかしながら、このような従来のラベルは、所望の貼り替え防止機能は有するものの、
周辺部分がすべて粘着部となっているため、被貼着物からすべてをきれいに剥がすためには手間が非常に掛かっていた。また、その製造に当たっては、ラベルの周辺すべてに粘着部を設ける必要があるため、粘着剤の使用量が多くなり、製造コストがかかってしまうという問題点も抱えていた。
【００１０】
そこで、本発明は、剥離する際に破断して所望の貼り替え防止機能は有し、しかも、容易にすべてをきれいに剥がすことができるラベルであって、安価に製造できるラベルを提供することを目的とするものである。
【課題を解決するための手段】
【００１１】
すなわち、請求項１に記載の発明は、印刷を施されたラベル基材から構成され、容器に貼り付けて使用するラベルであって、
裏面の左右の両端部に、この端部に沿った帯状の感熱ニス層を有するとともに、これら両端部の感熱ニス層の間の中央部は非貼着部とされており、
前記両端部のうち少なくとも一方の端部から非貼着部方向に向けて設けられた切込みを有することを特徴とするラベルである。
【００１２】
この発明によれば、その端部からラベルを剥離しようとすると、端部から非貼着部方向に向けて設けられた切込みから破断されるから、この破断したラベルを元通りに再貼着することができず、不正な再貼着を防ぐことができる。また、残存するラベルＡ１を左右の両端部方向に引き剥がすことで容易に剥離することができ、全方向に引き剥がす必要がないから、すべてを剥がす際の手間が大幅に削減できる。また、感熱ニス層は左右両端部に帯状に設けられているに過ぎないから、その製造コストを削減することができる。
【００１３】
このように、請求項１に記載の発明によれば、安価に製造できるラベルでありながら、所望の貼り替え防止機能は有し、しかも、容易にすべてをきれいに剥がすことができるという優れた効果を発揮する。
【００１４】
次に、請求項２に記載の発明は、ラベル基材が紙を主体としてこれに樹脂フィルムを積層した積層材料から構成されている場合に関するもので、剥離の際の破断を確実とするため、前記切込みが樹脂を貫通するように構成したものである。
【００１５】
すなわち、請求項２に記載の発明は、ラベル基材が紙を主体としてこれに樹脂フィルムを積層した積層材料から構成されており、前記切込みが樹脂フィルムを貫通する切込みであることを特徴とする請求項１に記載のラベルである。
【００１６】
次に、請求項３に記載の発明は、ラベルを剥離して破断させたとき、ラベルの非貼着部を残存させることにより、この非貼着部を手がかりとして残存部分の剥離を容易とするもので、すなわち、前記切込みが非貼着部まで伸びていることを特徴とする請求項１又は２に記載のラベルである。
【００１７】
次に、請求項４に記載の発明は、前記切込みを複数本有することを特徴とする請求項１〜３のいずれかに記載のラベルである。
【発明の効果】
【００１８】
以上のように、本発明によれば、安価に製造できるラベルでありながら、所望の貼り替え防止機能は有し、しかも、容易にすべてをきれいに剥がすことができる。
【図面の簡単な説明】
【００１９】
【図１】本発明に係るラベルを貼着した容器の斜視図
【図２】本発明に係るラベルを示し、図２（ａ）は表側から見たラベルの平面図、図２（ｂ）は裏側から見たラベルの平面図
【図３】本発明に係るラベルの断面図
【図４】本発明に係るラベルの別の例を示し、その表側から見た平面図
【図５】図５（ａ）は従来例に係るラベルの平面図、図５（ｂ）は剥離方法を示す平面図
【発明を実施するための形態】
【００２０】
以下、本発明の実施の形態について、図面を参照して詳細に説明する。
【００２１】
図１には本発明に係るラベル２を容器本体３に貼着した容器１が示されている。このラベル２は、その左右方向が容器本体３の胴部の周囲方向に一致するように貼着されている。また、ラベル２の上下方向は容器本体３の上下方向に一致している。
【００２２】
このラベル２は、図２や図３に示すように、表側の紙２１を主体としてこれに樹脂フィルム層２２とが積層、一体化されてなるラベル基材２４を有し、その紙層２１の表側には印刷層２５が、樹脂フィルム層２２の裏側にはその中央の非貼着部２７を挟んだ左側端部と右側端部のみに端部に沿った帯状の感熱ニス層２６が設けられて、これら両端部の感熱ニス層の間の中央部は非貼着部とされている。そして、前記左側端部と右側端部のそれぞれから中央の非貼着部の方向に向かって、切込み２ａが設けられている。
【００２３】
帯状の感熱ニス層２６は、容器本体３にラベル２を貼着する際の接着層の役割を果たすものである。前述のように、ラベル２の左右方向が容器本体３の胴部の周囲方向に一致するように貼着するから、ラベル２はその左右方向の両端部で容器本体３に接着固定される。
【００２４】
また、前記切込み２ａは、ラベル２をその左右方向から剥離する際に、ラベル基材２４の破断を誘導するものである。切込み２ａは、樹脂フィルム層２２を貫通しないものであってもよいが、ラベル基材２４の破断を確実に誘導するため、樹脂フィルム層２２を貫通するものであることが望ましい。なお、この切込み２ａは、紙層２１を貫通しないことが望ましい。紙層２１を貫通する場合には、ラベルを容器本体３に貼着した際に、この切込み２ａが外見上に現れることになり、美観を損なうことがあるからである。また、切込み２ａは感熱ニス層２６を貫通するものでもよく、貫通しないものでもよい。図２及び図３は、樹脂フィルム層２２と感熱ニス層２６とを貫通して、しかも紙層２１を貫通しない場合を表わしており、このため、図２では切込み２ａは破線で示されている。
【００２５】
また、ラベル基材２４の破断を確実に誘導するため、左側端部と右側端部の双方に、それぞれ、切込み２ａを設けることが望ましい。また、切込み２ａは、これら端部から非貼着部に至るまで伸びていることが望ましい。なお、図示の例では、切込み２ａは、左側端部と右側端部のそれぞれに１本ずつ設けられているが、これに限らず、複数本であってもよい。また、端部から非貼着部の方向にまっすぐ伸びるものに限られず、例えば図４に示すように、Ｖ字形の切込み２ａであってもよい。
【００２６】
なお、図示の例から分かるように、ラベル２をその上下方向から剥離する場合にも、このラベル２の破断を誘導することができる。このため、ラベル２を剥離する場合には、かならずラベル２が破断され、この破断されたラベル２を元のとおりに再貼着することが不可能となる。
【００２７】
そして、左右方向から剥離を開始してラベル基材２４の破断が非貼着部２７まで進むと、その部分では破断したラベル基材２４の一部が容器本体の貼り付け面から浮き上がるようになるから、そこをきっかけとして、残存するラベル基材２４の断片をつまみ上げて剥離することによって、ラベル２全体を容器本体から非常に容易に、且つきれいに剥がせる。
【００２８】
ラベル基材２４を構成する紙層２１としては、模造紙、証券用紙、上質紙、アート紙等が使用できる。樹脂フィルム層２２としては、ポリエステルフィルム、ポリプロピレンフィルム、ポリエチレンフィルム、ポリ塩化ビニルフィルム等が使用できる。これら紙層２１と樹脂フィルム２２とは接着層２３を介して積層することができる。
【００２９】
また、このラベル２を製造するに際には、ラベル基材２４に印刷層２５を施す際に、この印刷工程とインラインで、ミシン刃付のシリンダーを使用して前記切込み２ａを施すことができる。また、印刷の後、オフラインで切込み２ａを施すこともできるし、ラベラー（ラベル貼着装置）で容器に貼着する際に切込み２ａを施すことも可能である。
【実施例】
【００３０】
以下、本発明の実施例について説明する。
【００３１】
まず、模造紙（大王製紙社製の竜王コート；坪量６０ｇ／ｍ２）とポリエチレンフタレートフィルム（東洋紡績社製のＥ５２００、厚さ１２μｍ）とを接着剤（東洋モートン社製のＡＤＮ２９０）を使用して、塗布量２．５ｇ／ｍ２にてドライラミネートし、紙層と樹脂フィルム層との積層構成になるラベル基材を得た。
【００３２】
次に、このラベル基材の紙層である模造紙の上にグラビア印刷により印刷を施し、印刷層を形成した。
【００３３】
一方、ラベル基材の樹脂フィルム層であるＰＥＴフィルムの上には、中央の非貼着部を挟んだ左右両端部分のみに、感熱ニス（ＤＩＣ社製のＤＬＡ−５０５）を用いてセル深度が６０μｍのグラビア印刷版によりｗｅｔ塗布量１．２ｋｇ／Ｒにて感熱ニス層を設けた。
【００３４】
そして、ラベル基材の左側端部から非貼着部に至るまでの切込みと、右側端部から非貼着部に至るまでの切込みとの双方を、スリッター機で設け、ラベルを得た。なお、切込みは感熱ニス層と樹脂フィルム層（ＰＥＴフィルム）とを貫通し、紙層（模造紙）を貫通しない深さである。
【００３５】
そして、この様にして得られたラベルをドレッシングが充填してあるガラス容器本体の胴部にその貼着部で貼り付け、本発明のラベル付き容器を得た。
【００３６】
得られたラベル付き容器のラベルを剥がそうとすると、どこから剥離を開始した場合でも、切れ目からラベル基材が破断し始め、再貼着できないような状態となった。さらに剥離を進めると、その破断がラベル基材の非貼着部まで進み、破断したラベル基材の一部が容器本体の貼り付け面から浮き上がった。そして、浮き上がった部分を摘んでラベル全体を剥がしたところ、きわめて容易に、しかも剥離の痕跡をガラス容器本体側に残すことなく、非常にきれいにその全体を剥がすことができた。
【産業上の利用可能性】
【００３７】
本発明は、ドレッシングやジュース等を充填するためのラベル付き容器であって、使用後にラベルを容器本体側から剥離し、容器本体を再利用するようになっているラベル付き容器等として有効に利用することができる。
【符号の説明】
【００３８】
１      ラベル付き容器
２      ラベル
２１    紙層
２２    樹脂フィルム層
２３    接着層
２４    ラベル基材
２５    印刷層
２６    感熱ニス層
２７    非貼着部
２ａ    切込み
【図１】
2011027967.tif 000003
【図２】
2011027967.tif 000004
【図３】
2011027967.tif 000005
【図４】
2011027967.tif 000006
【図５】
2011027967.tif 000007